(57)【要約】【課題】直流遮断コンデンサを用いるリーダ装置の送受信の切り替え待機時間を短縮する。【解決手段】リーダ装置２は、ＲＦＩＤ３に対し、高周波搬送波信号を送信する送信回路４と、送信回路５により送信された高周波搬送波信号から、ＲＦＩＤ３の応答データを抽出する受信回路５とを備え、受信回路５は、高周波搬送波信号を検波する検波回路１４と、検波回路１４による検波後の高周波搬送波信号の信号処理を行い、ＲＦＩＤ３の応答データを取得する信号処理回路１８と、検波回路１４と信号処理回路１８とを接続する配線に間挿された直流遮断コンデンサ１５と、直流遮断コンデンサ１５と直列に接続され、オフのときに直流遮断コンデンサ１５の少なくとも一方の端子をオープンとするスイッチ素子１６とを有することを特徴とする。【選択図】図１
2011145836.tif 000002
【特許請求の範囲】
【請求項１】
ＲＦＩＤに対し、高周波搬送波信号を送信する送信回路と、
前記送信回路により送信された前記高周波搬送波信号から、前記ＲＦＩＤの応答データを抽出する受信回路とを備え、
前記受信回路は、
前記高周波搬送波信号を検波する検波回路と、
前記検波回路による検波後の前記高周波搬送波信号の信号処理を行い、前記ＲＦＩＤの応答データを取得する信号処理回路と、
前記検波回路と前記信号処理回路とを接続する配線に間挿された直流遮断コンデンサと、
前記直流遮断コンデンサと直列に接続され、オフのときに前記直流遮断コンデンサの少なくとも一方の端子をオープンとするスイッチ素子とを有する
ことを特徴とするリーダ装置。
【請求項２】
前記高周波搬送波信号を変調することにより、前記ＲＦＩＤに対して所定のデータを送信する制御回路をさらに備え、
前記制御回路は、前記所定のデータの送信期間に応じて前記スイッチ素子をオフすることを特徴とする請求項１に記載のリーダ装置。
【請求項３】
前記制御回路は、前記スイッチ素子をオフからオンに切り替えるときに前記検波回路と前記信号処理回路とを接続する配線に生ずるパルス成分を中和する中和信号を、該配線に入力することを特徴とする請求項２に記載のリーダ装置。
【請求項４】
前記スイッチ素子は、前記直流遮断コンデンサと前記信号処理回路とを接続する配線に間挿され、前記直流遮断コンデンサと前記信号処理回路とを電気的に切り離すことにより、前記直流遮断コンデンサの前記信号処理回路側の端子をオープンとする
ことを特徴とする請求項１乃至３のいずれか一項に記載のリーダ装置。
【請求項５】
ＲＦＩＤに対し、高周波搬送波信号を送信する送信回路と、
前記送信回路により送信された前記高周波搬送波信号から、前記ＲＦＩＤの応答信号を抽出する受信回路とを備え、
前記受信回路は、
前記高周波搬送波信号を検波する検波回路と、
前記検波回路による検波後の前記高周波搬送波信号の信号処理を行う信号処理回路と、
前記検波回路と前記信号処理回路とを接続する配線に間挿された直流遮断コンデンサと、
前記直流遮断コンデンサと直列に接続され、オフのときに前記直流遮断コンデンサの少なくとも一方の端子をオープンとするスイッチ素子とを有し、
前記高周波搬送波信号を変調することにより、前記ＲＦＩＤに対して所定のデータを送信するリーダ装置の制御方法であって、
前記所定のデータの送信開始に応じて前記スイッチ素子をオフするステップと、
前記所定のデータの送信が終了した場合に前記スイッチ素子をオンするステップとを備えることを特徴とするリーダ装置の制御方法。
【発明の詳細な説明】
【技術分野】
【０００１】
本発明は、ＲＦＩＤ用リーダ装置及びその制御方法に関する。
【背景技術】
【０００２】
データキャリアに記憶されたデータの読み出しを非接触で行えるようにした非接触ＩＣシステムが知られている（例えば、特許文献１〜８を参照。）。非接触ＩＣシステムは一般に、データキャリアとしての非接触ＩＣとアンテナ回路とからなるＲＦＩＤ(Radio Frequency IDentification)と、アンテナ回路を有する読み出し装置（リーダ装置）とから構成される。以下、非接触ＩＣに記憶されるデータの読み出し処理について、簡単に説明する。
【０００３】
まず、リーダ装置は、アンテナ回路から、無変調の高周波搬送波信号の送信を開始する。この高周波搬送波信号を受信可能な位置にＲＦＩＤがあると、そのＲＦＩＤは高周波搬送波信号を受信整流して、電源電圧を生成する。一方、リーダ装置は、送信を開始してから所定時間が経過すると、次に問い合わせコマンドにより変調した高周波搬送波信号を送信する。送信が終了したら無変調の高周波搬送波信号の送信に戻り、送信状態のままで待機する。
【０００４】
ＲＦＩＤは、問い合わせコマンドで変調された高周波搬送波信号を受信すると、その応答として、非接触ＩＣ内に保持しているデータを負荷変調により送信する。すなわち、送信データに応じてアンテナ回路の負荷を切り替え、それによってアンテナ回路からの反射波成分の大きさを切り替えることにより、データを送信する。
【０００５】
リーダ装置は、自身で送信した高周波搬送波信号を受信している。こうして受信される高周波搬送波信号にはＲＦＩＤからの反射波成分が重畳されており、リーダ装置は、受信された高周波搬送波信号を検波して反射波成分の変化を抽出し、ＲＦＩＤからの応答信号として取得する。そして、この応答信号を信号処理することにより、非接触ＩＣに記憶されるデータを得る。
【０００６】
図４（ａ）は、リーダ装置により受信される高周波搬送波信号を示している。同図の横軸は時間軸であり、縦軸は信号の振幅を示している。後掲の各図でも同様である。図４（ａ）に示すように、送信時には高周波搬送波信号の振幅が大きく変動するが、受信時の変動はわずかである。図４（ｂ）は、検波用のダイオードを通過した後の高周波搬送波信号を示している。同図に示すように、ダイオードを通過したことにより、信号の一方の極性側がカットされる。
【先行技術文献】
【特許文献】
【０００７】
【特許文献１】特開２００３−２８８５５１号公報
【特許文献２】特開平１１−３４５２８９号公報
【特許文献３】特開平０９−０４６２８２号公報
【特許文献４】特開平０６−００６２７２号公報
【特許文献５】特開平０３−００９４９２号公報
【特許文献６】実開平０１−０９１３５２号公報
【特許文献７】特開２００６−２７９４１２号公報
【特許文献８】特開平０３−０９８３１９号公報
【発明の開示】
【発明が解決しようとする課題】
【０００８】
ところで、図４（ｂ）の信号は、ＲＦＩＤからの応答信号成分に比して非常に大きな直流成分を有している。そのため、図４（ｂ）の信号を増幅することはほとんどできず、後段の信号処理回路では、振幅が極めて小さい状態でＲＦＩＤからの応答信号成分を信号処理しなければならない。そこで、直流成分をカットし、ＲＦＩＤからの応答信号成分のみを増幅できるようにするために、検波用のダイオードと増幅回路の間に直流遮断用のコンデンサ（直流遮断コンデンサ）を挿入し、入力信号と増幅器バイアス直流電圧の重畳状態にすることが考えられている。
【０００９】
図４（ｃ）は、直流遮断コンデンサの後段で測定した高周波搬送波信号を示している。同図に示すように、直流遮断コンデンサの働きにより高周波搬送波信号の直流成分がカットされており、したがって、ＲＦＩＤからの応答信号成分を増幅することが可能になっている。
【００１０】
しかしながら、直流遮断コンデンサを用いる場合、図４（ｃ）に示すように、直流遮断コンデンサを挿入すると送信終了後しばらくの間、図中に符号Ａで示した直流成分が発生する。これは直流遮断コンデンサの端子間に蓄積された電荷の充放電に伴う過渡応答によるものであるが、この直流成分が発生している間はＲＦＩＤからの応答信号を増幅できないので、受信と送信の間に一定以上の切り替え待機時間を設ける必要がある。
【００１１】
過渡応答によって発生する直流成分の減衰に要する時間は、直流遮断コンデンサを含む回路の時定数が大きいほど長くなる。時定数を小さくすれば切り替え待機時間は短くできるが、一方で時定数を小さくしすぎると信号波形に歪みが生ずる。このため、切り替え待機時間の短縮には限界があり、直流遮断コンデンサを用いる場合のボトルネックとなっていた。
【００１２】
したがって、本発明の目的の一つは、直流遮断コンデンサを用いる場合の送受信の切り替え待機時間を短縮できるリーダ装置及びその制御方法を提供することにある。
【課題を解決するための手段】
【００１３】
上記目的を達成するための本発明によるリーダ装置は、ＲＦＩＤに対し、高周波搬送波信号を送信する送信回路と、前記送信回路により送信された前記高周波搬送波信号から、前記ＲＦＩＤの応答データを抽出する受信回路とを備え、前記受信回路は、前記高周波搬送波信号を検波する検波回路と、前記検波回路による検波後の前記高周波搬送波信号の信号処理を行い、前記ＲＦＩＤの応答データを取得する信号処理回路と、前記検波回路と前記信号処理回路とを接続する配線に間挿された直流遮断コンデンサと、前記直流遮断コンデンサと直列に接続され、オフのときに前記直流遮断コンデンサの少なくとも一方の端子をオープンとするスイッチ素子とを有することを特徴とする。
【００１４】
本発明によれば、スイッチ素子がオフとなっている間、電荷の移動経路が切れ直流遮断コンデンサの電荷の充放電が起こらないため、スイッチ素子がオンとなった後に図４（ｃ）に示したような直流成分が生ずることはない。したがって、直流遮断コンデンサを用いる場合の送受信の切り替え待機時間を短縮することが可能になる。
【００１５】
上記リーダ装置において、前記高周波搬送波信号を変調することにより、前記ＲＦＩＤに対して所定のデータを送信する制御回路をさらに備え、前記制御回路は、前記所定のデータの送信期間に応じて前記スイッチ素子をオフすることとしてもよい。さらに、前記制御回路は、前記スイッチ素子をオフからオンに切り替えるときに前記検波回路と前記信号処理回路とを接続する配線に生ずるパルス成分を中和する中和信号を、該配線に入力することとしてもよい。
【００１６】
また、上記各上記リーダ装置において、前記スイッチ素子は、前記直流遮断コンデンサと前記信号処理回路とを接続する配線に間挿され、前記直流遮断コンデンサと前記信号処理回路とを電気的に切り離すことにより、前記直流遮断コンデンサの前記信号処理回路側の端子をオープンとすることとしてもよい。
【００１７】
また、本発明によるリーダ装置の制御方法は、ＲＦＩＤに対し、高周波搬送波信号を送信する送信回路と、前記送信回路により送信された前記高周波搬送波信号から、前記ＲＦＩＤの応答信号を抽出する受信回路とを備え、前記受信回路は、前記高周波搬送波信号を検波する検波回路と、前記検波回路による検波後の前記高周波搬送波信号の信号処理を行う信号処理回路と、前記検波回路と前記信号処理回路とを接続する配線に間挿された直流遮断コンデンサと、前記直流遮断コンデンサと直列に接続され、オフのときに前記直流遮断コンデンサの少なくとも一方の端子をオープンとするスイッチ素子とを有し、前記高周波搬送波信号を変調することにより、前記ＲＦＩＤに対して所定のデータを送信するリーダ装置の制御方法であって、前記所定のデータの送信開始に応じて前記スイッチ素子をオフするステップと、前記所定のデータの送信が終了した場合に前記スイッチ素子をオンするステップとを備えることを特徴とする。
【発明の効果】
【００１８】
本発明によれば、直流遮断コンデンサを用いるリーダ装置の送受信の切り替え待機時間を短縮できる。
【図面の簡単な説明】
【００１９】
【図１】本発明の第１の実施の形態による非接触ＩＣシステムのシステム構成を示す図である。
【図２】（ａ）は、本発明の第１の実施の形態による検波回路に受信される高周波搬送波信号を示す図である。（ｂ）は、本発明の第１の実施の形態による検波回路から出力される検波信号を示す図である。（ｃ）は、本発明の第１の実施の形態による制御回路によって生成される制御信号を示す図である。（ｄ）は、本発明の第１の実施の形態による直流遮断コンデンサから出力される信号を示す図である。
【図３】本発明の第２の実施の形態による非接触ＩＣシステムのシステム構成を示す図である。
【図４】（ａ）は、本発明の背景技術によるリーダ装置により受信される高周波搬送波信号を示す図である。（ｂ）は、本発明の背景技術による検波用のダイオードを通過した後の高周波搬送波信号を示す図である。（ｃ）は、本発明の背景技術による直流遮断コンデンサの後段で測定した高周波搬送波信号を示す図である。
【発明を実施するための形態】
【００２０】
以下、添付図面を参照しながら、本発明の好ましい実施の形態について詳細に説明する。
【００２１】
図１は、本発明の第１の実施の形態による非接触ＩＣシステム１のシステム構成を示す図である。同図に示すように、非接触ＩＣシステム１はリーダ装置２とＲＦＩＤ３とを備えている。このうちリーダ装置２は、送信回路４、受信回路５、及び制御回路１０を有し、ＲＦＩＤ３は、アンテナ回路３０及び非接触ＩＣ３１を有している。
【００２２】
リーダ装置２の送信回路４は、高周波信号送出回路１１、整合回路１２、及びアンテナ回路１３により構成され、ＲＦＩＤ３に対し、高周波搬送波信号（高周波数（例えば１３．５６ＭＨｚ）の搬送波信号）を送信する機能を有する。また、リーダ装置２の受信回路５は、検波回路１４、直流遮断コンデンサ１５、スイッチ素子１６、増幅回路１７、及び信号処理回路１８により構成され、送信回路により送信された高周波搬送波信号から、ＲＦＩＤ３の応答信号を抽出する機能を有する。以下、各回路について詳しく説明する。
【００２３】
制御回路１０は、高周波信号送出回路１１に、無変調の高周波搬送波信号の送出を開始させる機能を有する。また、ＲＦＩＤ３に対して送信するデータ（問い合わせコマンド）を高周波信号送出回路１１に出力する機能も有する。さらに、問い合わせコマンドを送信する場合、送信期間に応じてスイッチ素子１６をオフする機能も有するが、この点については後に詳述する。
【００２４】
高周波信号送出回路１１は、制御回路１０の指示に応じて高周波搬送波信号の生成を開始し、整合回路１２を介してアンテナ回路１３に出力する。高周波信号送出回路１１内部には変調回路（不図示）が設けられており、制御回路１０の指示から入力されるデータに応じ、生成した高周波搬送波信号を変調する処理も行う。
【００２５】
整合回路１２は、高周波信号送出回路１１とアンテナ回路１３を接続する配線に間挿されたインダクタＬ１と、インダクタＬ１と高周波信号送出回路１１を接続する配線とグランド電位の間に挿入されたコンデンサＣ１とを有し、高周波信号送出回路１１とアンテナ回路１３とのインピーダンス整合を行う。
【００２６】
アンテナ回路１３は、インダクタＬ２とコンデンサＣ２，Ｃ３とが並列に接続されたＬＣ共振回路であり、コンデンサＣ２とコンデンサＣ３の接続点がインダクタＬ１を介して高周波信号送出回路１１に接続され、コンデンサＣ３とインダクタＬ２の接続点がグランド電位に接続されている。これらの構成により、アンテナ回路１３は、高周波信号送出回路１１から無変調の又は変調された高周波搬送波信号が入力されると、インダクタＬ２による電磁誘導を利用して、空間中に高周波搬送波信号を送出する。
【００２７】
ＲＦＩＤ３のアンテナ回路３０は、インダクタＬ３とコンデンサＣ４とが並列に接続されたＬＣ共振回路であり、インダクタＬ３の両端は非接触ＩＣ３１に接続されている。近傍にあるリーダ装置２から高周波搬送波信号が送出されると、電磁誘導によってインダクタＬ３に電流が発生し、非接触ＩＣ３１に入力される。アンテナ回路３０は受信した高周波搬送波信号を反射するので、空中に存在する高周波搬送波信号には反射波成分が重畳されることになる。
【００２８】
非接触ＩＣ３１は、アンテナ回路３０から入力される電流を整流して自らの動作のための電源電圧を生成する。また、非接触ＩＣ３１は、アンテナ回路３０から入力される電流信号を復調を行い、データによる変調成分が含まれていた場合に、そのデータに応じた処理を行う。データが問い合わせコマンドであった場合には、図示しない記憶部からデータを読み出す。そして、問い合わせコマンドの受信完了から所定時間（切り替え待機時間）待機した後、負荷変調により、読み出したデータを示す応答信号を送信する。すなわち、読み出したデータに応じてアンテナ回路３０の負荷（不図示）を切り替え、それによってアンテナ回路３０からの反射波成分の大きさを切り替えることにより、応答信号を送信する。
【００２９】
リーダ装置２の検波回路１４は、アンテナ回路１３のインダクタＬ２に接続されるコンデンサＣ５と、アノードがコンデンサＣ５に接続され、カソードが直流遮断コンデンサ１５に接続されたダイオードＤ２と、コンデンサＣ５とダイオードＤ２を接続する配線とグランド電位の間に挿入されたコンデンサＤ１と、それぞれダイオードＤ２と直流遮断コンデンサ１５を接続する配線とグランド電位の間に挿入された抵抗Ｒ１及びコンデンサＣ６とを有している。これらの構成により、検波回路１４はアンテナ回路３０から送信される高周波搬送波信号を受信して検波し、直流遮断コンデンサ１５に出力する。
【００３０】
図２（ａ）は、検波回路１４に受信される高周波搬送波信号を示す図である。同図に示した「送信」期間は、リーダ装置２から問い合わせコマンドを送信している期間であり、高周波搬送波信号に問い合わせコマンドによる変調成分が現れている。また、「受信」期間は、ＲＦＩＤ３から応答信号が受信されている期間であり、高周波搬送波信号に負荷変調により変調された反射波成分が重畳されている。同図に示すように、重畳された反射波成分の振幅は、高周波搬送波信号の振幅に比べると極めて小さい。
【００３１】
図２（ｂ）は、検波回路１４から出力される検波信号を示す図である。検波回路１４ではダイオードＤ２を通過することになることから、検波信号では高周波搬送波信号のマイナス側がカットされている。
【００３２】
直流遮断コンデンサ１５は、検波回路１４と増幅回路１７とを接続する配線に間挿されている。直流遮断コンデンサ１５と増幅回路１７の間には、さらにスイッチ素子１６も間挿されている。スイッチ素子１６は、例えばＣＭＯＳアナログスイッチ（トランスファーゲート）により構成することが好適である。直流遮断コンデンサ１５とスイッチ素子１６は直列に接続されており、その間には、グランド電位や電源電位の供給される配線を含む他の配線や回路素子は接続されていない。直流遮断コンデンサ１５とスイッチ素子１６の動作については後述する。
【００３３】
増幅回路１７は、スイッチ素子１６と信号処理回路１８とを接続する配線に間挿された増幅器Ａ１と、増幅器Ａ１とスイッチ素子１６を接続する配線と電源電位の間に挿入された抵抗Ｒ２と、増幅器Ａ１とスイッチ素子１６を接続する配線とグランド電位の間に挿入された抵抗Ｒ３とを有している。これらの構成により、増幅回路１７に定常バイアス電圧が供給され、スイッチ素子１６を通って信号処理回路１８に入力される検波信号（直流遮断コンデンサ１５により直流成分がカットされた信号）が所定の増幅率で増幅される。
【００３４】
信号処理回路１８は、増幅回路１７によって増幅された検波信号に所定の信号処理を施し、検波信号に重畳されているデータ（ＲＦＩＤ３の応答データ）を取得する。こうして、リーダ装置２は、ＲＦＩＤ３の非接触ＩＣ３１に記憶されていたデータを得る。
【００３５】
さて、制御回路１０は、スイッチ素子１６のオンオフを制御するための制御信号を生成し、出力している。図２（ｃ）は、この制御信号の例を示す図である。同図に示すように、制御信号は、概ね送信期間にはローとなり、それ以外のときにはハイとなる信号である。より具体的には、制御回路１０は、問い合わせコマンドの送信開始に応じて制御信号をローとし、問い合わせコマンドの送信が終了した場合に制御信号をハイとする。制御信号をハイに戻す具体的なタイミングは、問い合わせコマンドの送信終了を検出することにより決定してもよいし、問い合わせコマンドの送信開始から所定時間の満了により決定してもよい。
【００３６】
スイッチ素子１６は、制御信号がローのときにオフとなり、ハイのときにオンとなるよう構成されている。したがって、スイッチ素子１６は、問い合わせコマンドの送信中にオフとなり、それ以外のときにオンとなる。スイッチ素子１６がオフとなっている間、直流遮断コンデンサ１５は増幅回路１７と切り離され、そのスイッチ素子１６側の端子はオープンとなる。つまり、どこにも接続されない浮いた状態となる。したがって、この端子に蓄積された電荷は移動できないため、スイッチ素子１６がオフとなっている間、直流遮断コンデンサ１５への充放電電流は流れず、過渡現象も生じない。
【００３７】
図２（ｄ）は、直流遮断コンデンサ１５から出力される信号を示す図である。同図に示すように、問い合わせコマンドの送信開始に伴って制御信号がローとなる（スイッチ素子１６がオフとなる）直前、直流遮断コンデンサ１５の出力信号は定常バイアス状態となっている。制御信号がローとなってスイッチ素子１６がオフに切り替わった後も、直流遮断コンデンサ１５の両端子には、定常バイアス状態となっていたときに蓄積されていた電荷が保存される。
【００３８】
問い合わせコマンドの送信が終わって制御信号がハイに変化すると、スイッチ素子１６がオンに切り替わり、直流遮断コンデンサ１５は増幅回路１７に接続される。この時点で、直流遮断コンデンサ１５の両端子には、定常バイアス状態となっていたときに蓄積されていた電荷が保存されているため、スイッチ素子１６がない場合に発生していた過渡応答による直流成分（図４（ｃ）に示した直流成分Ａ。）は、図２（ｄ）に示すように発生せず、定常バイアス状態が維持される。したがって、非接触ＩＣシステム１では、送受信の切り替え待機時間を背景技術に比べて短縮することが可能になっている。
【００３９】
なお、図２（ｄ）に示されるパルス成分Ｂはスイッチ素子１６のオンオフに伴って発生しているものであり、過渡応答によって発生しているものではない。具体的には、スイッチ素子１６が浮遊容量を有していることによって生ずるものである。図４（ｃ）と図２（ｄ）とを比較すると明らかなように、このパルス成分Ｂは直流成分Ａに比べると極めて小さなもの（入力換算で５０μＶ程度。）で、継続時間も短いため、切り替え待機時間にはあまり影響しない。
【００４０】
以上説明したように、本実施の形態による非接触ＩＣシステム１によれば、リーダ装置２に直流遮断コンデンサを用いる場合の、送受信の切り替え待機時間を短縮することが可能になる。
【００４１】
図３は、本発明の第２の実施の形態による非接触ＩＣシステム１のシステム構成を示す図である。本実施の形態による非接触ＩＣシステム１は、リーダ装置２が、スイッチ素子１６と増幅回路１７を接続する配線と制御回路１０との間に直列に挿入されたインバータ２０、コンデンサ２１、及び可変容量コンデンサ２２を有している点で、第１の実施の形態による非接触ＩＣシステム１と異なっている。これらは、上述したパルス成分Ｂを打ち消すための構成である。以下、相違点に着目して説明する。
【００４２】
インバータ２０の出力は、図２（ｃ）に示した制御信号の反転信号（逆極性の信号）となる。この反転信号が微小な容量のコンデンサ２１及び可変容量コンデンサ２２を通過することにより、図２（ｄ）に示したパルス成分Ｂと逆極性の信号が得られる。この信号は、直流遮断コンデンサ１５と増幅回路１７を接続する配線に入力され、パルス成分Ｂを中和する中和信号として機能する。したがって、本実施の形態では、図２（ｄ）に示したパルス成分Ｂを、より小さくすることが可能になっている。具体的には、パルス成分Ｂの大きさを入力換算で１０μＶ以下にできることが実験により確かめられた。
【００４３】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【００４４】
例えば、上記各実施の形態では直流遮断コンデンサ１５の後段（信号処理回路１８側）にスイッチ素子１６を設けたが、直流遮断コンデンサ１５の前段（検波回路１４側）にスイッチ素子１６を設けてもよい。ただし、この場合にはスイッチ素子１６に大きな直流成分を有する高周波搬送波信号が直接印加されることになるので、スイッチ素子１６として高い耐圧を有する素子を用いる必要がある。
【００４５】
また、本発明は、短波帯（１３．５６ＭＨｚ）の搬送波信号を用いる非接触ＩＣシステムだけでなく、他の周波数を用いる非接触ＩＣシステムにも適用可能である。例えば、ＵＨＦ帯の搬送波信号を用いる非接触ＩＣシステムのように送受信分離のためにサーキュレータを用いる例についても、本発明は適用をすることが可能である。
【符号の説明】
【００４６】
１      非接触ＩＣシステム
２      リーダ装置
３      ＲＦＩＤ
４      送信回路
５      受信回路
１０    制御回路
１１    高周波信号送出回路
１２    整合回路
１３    アンテナ回路
１４    検波回路
１５    直流遮断コンデンサ
１６    スイッチ素子
１７    増幅回路
１８    信号処理回路
２０    インバータ
２１    コンデンサ
２２    可変容量コンデンサ
３０    アンテナ回路
３１    非接触ＩＣ
【図１】
2011145836.tif 000003
【図２】
2011145836.tif 000004
【図３】
2011145836.tif 000005
【図４】
2011145836.tif 000006